(57)【要約】      （修正有）【課題】外部の保存デバイスと接続する必要のない保存機能を備えた伝送線を提供する。【解決手段】伝送線は、連接線１０、連接線の一端に連接する標準型ＵＳＢインターフェース２０、連接線のもう一方の端に連接する標準型Ｍｉｃｒｏ  ＵＳＢインターフェース３０を備え、標準型ＵＳＢインターフェースと連接線との間には集積回路モジュールを電気的に連接し、集積回路モジュール中にはＣＯＢ製造工程を採用しメモリユニットを設置し、集積回路モジュール上には保存と伝送状態を切り換えるスイッチ４１を設置する。【選択図】図２
0003188618.tif 000002
【実用新案登録請求の範囲】
【請求項１】
伝送線は、連接線、前記連接線一端に連接する標準型USBインターフェース、前記連接線のもう一方の端に連接する標準型Micro USBインターフェースを備え、
前記標準型USBインターフェースと前記連接線との間には、集積回路モジュールを電気的に連接し、前記集積回路モジュール中には、COB製造工程を採用し、メモリユニットを設置し、前記集積回路モジュール上にはさらに、保存と伝送状態を切り換えるスイッチを設置することを特徴とする伝送線。
【請求項２】
前記スイッチは、手動スイッチであることを特徴とする請求項１に記載の伝送線。
【請求項３】
前記スイッチは、電子スイッチであることを特徴とする請求項１に記載の伝送線。
【請求項４】
前記伝送線はさらに、保護ケースを備え、
前記保護ケースは、前記集積回路モジュール外を覆うことを特徴とする請求項１に記載の伝送線。
【請求項５】
前記伝送線はさらに、収容設置ハウジングと外蓋を備え、
前記収容設置ハウジングは、周囲を取り囲んだ形状の収容設置空間である両端壁と両側壁を備え、前記両端壁と前記両側壁の内表面中央には、隔絶板を連接して設置し、前記隔絶板は、前記収容設置空間を、開口が上向きの第一収容設置空間と開口が下向きの第二収容設置空間とに区画し、
前記連接線一端の標準型USBインターフェース及び、前記保護ケースにより覆われる集積回路モジュールは、前記第一収容設置空間内に収容設置され、
前記連接線のもう一方の端の標準型Micro USBインターフェースは、前記第二収容設置空間内に収容設置され、
前記外蓋は、前記標準型USBインターフェース、前記保護ケースにより覆われる集積回路モジュール、前記標準型Micro USBインターフェースを収容設置する収容設置ハウジング外を覆うことを特徴とする請求項４に記載の伝送線。
【請求項６】
前記伝送線はさらに、ストラップを備え、
前記収容設置ハウジングの一端壁上には、開口を開設し、前記ストラップは、前記開口位置に固定し、
前記外蓋は、一体に接続する４枚の側板、前板を備え、
前記前板上には、前記開口位置に対応し、貫通孔を開設し、前記ストラップは、前記貫通孔を通過し、前記外蓋に伸び出ることを特徴とする請求項５に記載の伝送線。
【請求項７】
前記収容設置ハウジングのもう一方端壁上には、前記第一収容設置空間と前記第二収容設置空間に対応し、前記連接線が通過する第一穿孔、第二穿孔をそれぞれ開設することを特徴とする請求項５に記載の伝送線。
【請求項８】
前記収容設置ハウジングの両側壁の外表面上には、係合ブロックを設置し、
前記外蓋は、前記収容設置ハウジングの両側壁の両側板上に対応し、係合口を設置し、  前記係合ブロックは、前記係合口内に係合することを特徴とする請求項５に記載の伝送線。
【考案の詳細な説明】
【技術分野】
【０００１】
本考案は伝送線に関し、特に保存と伝送機能を備える伝送線に関する。
【背景技術】
【０００２】
MP3、デジカメ、携帯電話端末など従来の電子製品の多くは、USB(Universal Serial Bus)伝送線を採用し、コンピューターエンドと接続し、これにより電子設備間のデータ伝送を実現している。電子製品が軽量化、小型化、薄型化に向けて発展するに従い、タブレットPC、スマートフォンなどはどれも「OTG(On-The-Go)機能」を支援するようになっている。また、製品の薄型化構造設計に対応するため、伝送インターフェースはMicro USB(Micro Universal Serial Bus)インターフェース伝送を採用している。よって、既存のUSB伝送線の両端には、標準的なUSBインターフェースとMicro USBインターフェースをそれぞれ設置し、コンピューターエンドとポータブルデバイスとの間のデータ伝送を行っている。
【０００３】
テクノロジーの発展に従い、ポータブルデバイスは、現代生活になくてはならないものとなっている。しかし、上記した伝送線を使用する際には、外部の保存デバイスと連接しなければデータの伝送を行うことができず、データを直接外部に保存することはできない。そのため、使用の利便性が大きく制限されている。
本考案は、従来の伝送線の上記した欠点に鑑みてなされたものである。
【考案の概要】
【考案が解決しようとする課題】
【０００４】
本考案が解決しようとする課題は、保存と伝送の機能を備える伝送線を提供することである。
【課題を解決するための手段】
【０００５】
上記課題を解決するため、本考案は下記の伝送線を提供する。
伝送線は、連接線、該連接線一端に連接する標準型USBインターフェース、該連接線のもう一方の端に連接する標準型Micro USBインターフェースを備え、
該標準型USBインターフェースと該連接線との間には、集積回路モジュールを電気的に連接し、該集積回路モジュール中には、COB(Chip On Board)製造工程を採用し、メモリユニットを設置し、該集積回路モジュール上にはさらに、保存と伝送状態を切り換えるスイッチを設置する。
【考案の効果】
【０００６】
本考案の伝送線は、その集積回路モジュール上に、メモリユニットと、保存及び伝送状態を切り換えることができるスイッチを設置するため、保存と伝送の機能を備えることができる。
【図面の簡単な説明】
【０００７】
【図１】本考案伝送線において、収容設置ハウジングと外蓋を取り除いた後の立体図である。
【図２】本考案伝送線の立体分解図である。
【図３】図２に示す伝送線の収容設置ハウジングの立体図である。
【考案を実施するための形態】
【０００８】
以下に図面を参照しながら本考案を実施するための最良の形態について詳細に説明する。
【０００９】
図１、２に示すように、本考案伝送線は、連接線１０、連接線１０一端に連接する標準型USBインターフェース２０、連接線１０のもう一方の端に連接する標準型Micro USBインターフェース３０、標準型USBインターフェース２０と連接線１０との間に電気的に連接する集積回路モジュール４０、収容設置ハウジング５０、中空外蓋６０を備える。
【００１０】
図２に示すように、集積回路モジュール４０中には、メモリユニット(図示なし)、保存と伝送状態を切り換えるスイッチ４１を設置する。標準型USBインターフェース２０は、表面実装技術(Surface Mounted Technology、SMT)を採用し、集積回路モジュール４０上端面に溶接する。メモリユニットは、COB製造工程を採用し、集積回路モジュール４０中に組み立てる。集積回路モジュール４０の外側は、保護ケース４２で覆う。
【００１１】
メモリユニットは、フラッシュメモリで、電源を切ってもデータが消えない不揮発性と書き換えや削除が容易であるという特性を備え、しかも大量かつ迅速に、さまざまなフォーマットのファイルを保存或いは読み取りできる。
【００１２】
スイッチ４１は、手動スイッチで、保存と伝送機能の切り換えを手動で実現する。
【００１３】
スイッチ４１は、電子スイッチで、自動的に回路をコントロールし、保存と伝送機能の切り換えを実現する。
【００１４】
図２、３に示すように、収容設置ハウジング５０は、周囲を取り囲んだ形状の収容設置空間(図示なし)である両端壁５１と両側壁５２を備える。両端壁５１と両側壁５２の内表面中央には、隔絶板５３を連接して設置する。隔絶板５３は、収容設置空間を、開口が上向きの第一収容設置空間５４と開口が下向きの第二収容設置空間５５とに区画する。連接線１０一端の標準型USBインターフェース２０及び、保護ケース４２により覆われる集積回路モジュール４０は、第一収容設置空間５４内に収容設置される。連接線１０のもう一方の端の標準型Micro USBインターフェース３０は、第二収容設置空間５５内に収容設置される。外蓋６０は、標準型USBインターフェース２０、保護ケース４２により覆われる集積回路モジュール４０、標準型Micro USBインターフェース３０を収容設置する収容設置ハウジング５０外を覆う。
【００１５】
収容設置ハウジング５０は、ストラップ５６を備える。収容設置ハウジング５０の一端壁５１上には、開口５１１を開設する。ストラップ５６は、開口５１１位置に固定する。外蓋６０は、一体に接続する４枚の側板６１、前板６２を備える。前板６２上には、開口５１１位置に対応し、貫通孔６２１を開設する。ストラップ５６は、貫通孔６２１を通過し、外蓋６０に伸び出る。
【００１６】
収容設置ハウジング５０のもう一方端壁５１上には、第一収容設置空間５４と第二収容設置空間５５に対応し、連接線１０が通過する第一穿孔５１２、第二穿孔５１３をそれぞれ開設する。
【００１７】
図２、３に示すように、収容設置ハウジング５０の両側壁５２の外表面上には、係合ブロック５２１を設置する。外蓋６０は、収容設置ハウジング５０の両側壁５２の両側板６１上に対応し、係合口６１１を設置する。係合ブロック５２１は、係合口６１１内に係合し、これにより外蓋６０を、収容設置ハウジング５０外に固定して、こうして蓋をする。
【００１８】
上記したように、本考案の伝送線は、その集積回路モジュール４０上に、メモリユニットと、保存及び伝送状態を切り換えることができるスイッチ４１を設置するため、保存と伝送の機能を備えることができる。
【００１９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００２０】
１０  連接線
２０  USBインターフェース
３０  Micro USBインターフェース
４０  集積回路モジュール
４１  スイッチ
４２  保護ケース
５０  収容設置ハウジング
５１  端壁
５１１  開口
５１２  第一穿孔
５１３  第二穿孔
５２  側壁
５２１  係合ブロック
５３  隔絶板
５４  第一収容設置空間
５５  第二収容設置空間
５６  ストラップ
６０  外蓋
６１  側板
６１１  係合口
６２  前板
６２１  貫通孔
【図１】
0003188618.tif 000003
【図２】
0003188618.tif 000004
【図３】
0003188618.tif 000005